(57)【特許請求の範囲】
【請求項１】
電線が挿入される電線挿入口を備えた樹脂製のハウジングと、電線挿入口を通してハウジングに導入された電線に弾接して鎖錠する鎖錠片を有する少なくとも２個の端子部が一直線上に配置され連結片により連結された複数の導電金具とを備え、ハウジング内にはハウジング内を複数の収納室に仕切るための仕切壁が突設されハウジングの周壁と仕切壁とで囲まれた複数の収納室それぞれに導電金具が配設され、ハウジングの導電金具の長手方向の一端側に位置する端子部を覆う第１の端子台部と導電金具の他の端子部を覆う第２の端子台部とのうち第１の端子台部には導電金具の連結片を覆う連結部と連続する形で傾斜壁が形成され、当該傾斜壁に、ハウジング内に浸入する水を排出するための水抜き孔が少なくとも１つ穿設されてなり、傾斜壁の途中に段部を設けることにより傾斜壁を２段に形成したことを特徴とする端子台。
【請求項２】
前記傾斜壁に穿設された前記水抜き孔が矩形状であることを特徴とする請求項１記載の端子台。
【請求項３】
前記傾斜壁に穿設された前記水抜き孔は、前記導電金具の投影領域に位置することを特徴とする請求項１または２記載の端子台。
【請求項４】
前記導電金具の長手方向の前記一端側に位置する前記端子部は、前記ハウジングの底面に沿って配置された主片と、主片の一端側を折曲し前記ハウジングの前記周壁に沿って形成され、前記第１の端子台部に設けられた前記電線挿入口に対応した部位に前記電線挿入口から挿入される電線が導入される導入孔が穿設された立上片と、前記鎖錠片であって導入孔の前記傾斜壁に近い方の一端側に連続し主片に近づくほど立上片から離れるように傾斜した前記鎖錠片とを備え、前記傾斜壁は、前記鎖錠片の先端部が過大に変位するのを防止する過可動防止部を兼ねていることを特徴とする請求項１乃至３のいずれか１項に記載の端子台。
【請求項５】
前記傾斜壁は、前記鎖錠片の先端部を前記端子部が破壊しない最大可動範囲まで変位させたときに前記鎖錠片の一部が当接するように形成されてなることを特徴とする請求項４記載の端子台。
【発明の詳細な説明】
【技術分野】
【０００１】
本発明は、照明器具などに用いられる端子台に関するものである。
【背景技術】
【０００２】
従来から、電線に弾接して鎖錠する鎖錠片を有する端子部をハウジング内に収納し、ハウジングに設けた電線挿入口から挿入される電線を鎖錠片に接続するようにした端子台が提案されている（特許文献１参照）。
【０００３】
ここにおいて、上述の特許文献１に開示された端子台１’は、図８に示すように、一面（図８の上面）が開放された樹脂製のボディ１０’とボディ１０’の開口側からボディ１０’の周壁外周を囲む形に覆着される樹脂製のカバー２０’とを結合することによりハウジング２’が形成されるものであり、電線挿入口２４’を通してハウジング２’内に導入された電線に弾接して鎖錠する鎖錠片３５ｄ’を有する端子部３４’と、ハウジング２’の周壁のうち電線挿入口２４’の開口面を形成する導入壁２３ｂ’とは交差する傾斜壁２３ａ’に配置され電線の鎖錠状態を解除させる解除用レバー部２５’とを備えている。また、端子台１’のカバー２０’は、一面（図８の上面）に電源端子台部３’，４’と負荷端子台部５’が順に配列した構造を有している。そして、負荷端子台部５’の上面は段差がなく電源端子台部４’の傾斜壁２３ａ’の一端から連続した平面３０’で構成されている。
【特許文献１】特許第３６０８４１９号公報
【発明の開示】
【発明が解決しようとする課題】
【０００４】
しかしながら、図８に示すような構成の端子台１’では、端子台１’を図９に示すように、傾斜天井に取り付けられた器具本体Ｅに水平面に対して傾斜した形で取り付けられたときに、端子台１’に接続した電線Ｃ３を伝ってハウジング２’内に水等が浸入し、ハウジング２’内に浸入した水等が原因で端子台１’がトラッキングによる絶縁破壊を起こす恐れがあった。
【０００５】
本願発明は、上記事由に鑑みてなされたものであり、その目的は、ハウジングが端子台取付部材に水平面に対して傾斜した形で取り付けられたときに、電線を伝ってハウジング内に浸入する水等を排出することでトラッキングを起こすことを防止できる端子台を提供することにある。
【課題を解決するための手段】
【０００６】
請求項１の発明は、電線が挿入される電線挿入口を備えた樹脂製のハウジングと、電線挿入口を通してハウジングに導入された電線に弾接して鎖錠する鎖錠片を有する少なくとも２個の端子部が一直線上に配置され連結片により連結された複数の導電金具とを備え、ハウジング内にはハウジング内を複数の収納室に仕切るための仕切壁が突設されハウジングの周壁と仕切壁とで囲まれた複数の収納室それぞれに導電金具が配設され、ハウジングの導電金具の長手方向の一端側に位置する端子部を覆う第１の端子台部と導電金具の他の端子部を覆う第２の端子台部とのうち第１の端子台部には導電金具の連結片を覆う連結部と連続する形で傾斜壁が形成され、当該傾斜壁に、ハウジング内に浸入する水を排出するための水抜き孔が少なくとも１つ穿設されてなり、傾斜壁の途中に段部を設けることにより傾斜壁を２段に形成したことを特徴とする。
【０００７】
この発明によれば、ハウジングが端子台取付部材に水平面に対して傾斜した形で取り付けられたときに、電線を伝ってハウジング内に浸入した水等は第１の端子台部に形成された傾斜壁に穿設された水抜き孔から排出されることにより、端子台がトラッキングを起こすことを防止することができる。また、水抜き孔を傾斜壁に形成するので、水抜き孔をハウジングの底面に対して直交する垂直壁に形成する場合に比べて、樹脂製のハウジング用の成形金型の構造を簡易にでき、当該成形金型を壊れにくいものとすることができる。
【０００９】
また、この発明によれば、傾斜壁の途中に段部を設けることにより傾斜壁を２段に形成するので、樹脂製のハウジング用の成形金型の構造を簡易にでき、当該成形金型を壊れにくいものとすることができる。
【００１０】
請求項２の発明は、請求項１の発明において、前記傾斜壁に穿設された前記水抜き孔が矩形状であることを特徴とする。
【００１１】
この発明によれば、水抜き孔の形状が矩形状であるため樹脂製のハウジング用の成形金型の構造を簡易にでき、かつ、当該樹脂製のハウジングに使用すべき樹脂の量を少なくすることができる。
【００１２】
請求項３の発明は、請求項１または請求項２の発明において、前記傾斜壁に穿設された前記水抜き孔は、前記導電金具の投影領域に位置することを特徴とする。
【００１３】
この発明によれば、前記導電金具の長手方向の端部に位置する前記端子部における電線の鎖錠状態を前記第１の端子台部の前記傾斜壁に穿設された水抜き孔から目視で確認することができる。
【００１４】
請求項４の発明は、請求項１乃至３の発明において、前記導電金具の長手方向の前記一端側に位置する前記端子部は、前記ハウジングの底面に沿って配置された主片と、主片の一端側を折曲し前記ハウジングの前記周壁に沿って形成され、前記第１の端子台部に設けられた前記電線挿入口に対応した部位に前記電線挿入口から挿入される電線が導入される導入孔が穿設された立上片と、前記鎖錠片であって導入孔の前記傾斜壁に近い方の一端側に連続し主片に近づくほど立上片から離れるように傾斜した前記鎖錠片とを備え、前記傾斜壁は、前記鎖錠片の先端部が過大に変位するのを防止する過可動防止部を兼ねていることを特徴とする。
【００１５】
この発明によれば、前記導電金具の長手方向の端部に位置する前記端子部に接続された電線の鎖錠状態を解除するときに前記第１の端子台部に形成された前記傾斜壁が過可動防止部を兼ねており、前記鎖錠片の一部と当接することにより当該先端部が過大に変位するのを阻止するので、前記端子部が破壊するのを防止することができる。
【００１６】
請求項５の発明は、請求項４の発明において、前記傾斜壁は、前記鎖錠片の先端部を前記端子部が破壊しない最大可動範囲まで変位させたときに前記鎖錠片の一部が当接するように形成されてなることを特徴とする。
【００１７】
この発明によれば、前記導電金具の長手方向の端部に位置する前記端子部を覆う前記第１の端子台部に形成された前記傾斜壁は、前記鎖錠片の前記先端部を前記端子部が破壊しない最大可動範囲まで可動させたときに前記鎖錠片の一部に当接するので、前記端子部に接続することができる電線の最大外周径を前記鎖錠片の当該最大可動範囲に対応した大きさ以下に規制することができる。
【発明の効果】
【００１８】
請求項１の発明によれば、ハウジングが端子台取付部材に水平面に対して傾斜した形で取り付けられたときに、電線を伝ってハウジング内に浸入した水等は第１の端子台部に形成された傾斜壁に穿設された水抜き孔から排出されることにより、端子台がトラッキングを起こすことを防止することができる。
【発明を実施するための最良の形態】
【００１９】
本実施形態の端子台１の基本構成を図１乃至図６に示す。
【００２０】
ハウジング２は、一面（図１の上面）が開放された樹脂製のボディ１０と、一面（図１の下面）が開放されたボディ１０の開口側からボディ１０の周壁外周を囲む形に覆着される樹脂製のカバー２０とを結合して形成される。ボディ１０の周壁外側面には５箇所に組立爪１１が突設され、カバー２０の周壁には各組立爪１１それぞれに嵌合する組立孔２１が５箇所に形成され、組立爪１１を組立孔２１に嵌合させることにより、ボディ１０とカバー２０とが結合される。ハウジング２には２つの電源端子台部（第２の端子台部）３，４と負荷端子台部（第１の端子台部）５とが順に配列されている。なお、２つの電源端子台部３，４のうちの一方は電源からの電線を接続するために設けられ、他方は送り配線用の電線を接続するために設けられている。通常は電源端子台部３に電線Ｃ１(図３参照)を接続し、電源端子台部４に送り配線用の電線Ｃ２（図３参照）を接続する。
【００２１】
ボディ１０は長方形の１つの角部を矩形状に切欠した形状の底面を有する薄箱状に形成されている。つまり、ボディ１０は直方体の一面に突部を突設した形状に形成されており、この突部が負荷端子台部５に対応する部分になる。ボディ１０の内部空間は長手方向（負荷端子台部５の突出方向）に延長された２枚の仕切壁１２ａ，１２ｂによって３つの収納室１３ａ〜１３ｃに仕切られている。一方の仕切壁１２ａはボディ１０の幅方向において負荷端子台部５を突設している側と残りの側とを仕切るように設けられ、他方の仕切壁１２ｂは負荷端子台部５を突設している側の内部空間を幅方向において２分するように設けられている。つまり、仕切壁１２ａとボディ１０の周壁とに囲まれる収納室１３ａと、両仕切壁１２ａ，１２ｂの間の収納室１３ｂと、仕切壁１２ｂとボディ１０の周壁とに囲まれる収納室１３ｃとが形成される。また、収納室１３ｂ，１３ｃには、ボディ１０の長手方向において負荷端子台部５に対応する部分と残りの部分とを仕切る仕切台１４も設けられている。
【００２２】
カバー２０の周壁はボディ１０の周壁外周に沿った形で形成されており、カバー２０においてボディ１０の開口部を覆う底板には、各電源端子台部３，４が形成されており、各電源端子台部３，４は、負荷端子台部５から離れる向きにおいて突出量が多くなるように傾斜した傾斜壁２３ａと当該傾斜壁２３ａにおける負荷端子台部５から遠いほうの一端縁に連続し負荷端子台部５から離れる向きにおいて突出量が少なくなるように傾斜した導入壁２３ｂとを有する。また、電源端子台部３，４の間には連結部４３ｃが形成され、電源端子台部４と負荷端子台部５との間には連結部４３ｄが形成されており、各連結部４３ｃ，４３ｄは、電源端子台部３，４の傾斜壁２３ａ及び導入壁２３ｂが突出した側にボディ１０の底面と略平行する第１の水平面２３ｃ，第２の水平面２３ｄを有する。ここで、各連結部４３ｃ，４３ｄは、第１の水平面２３ｃ，第２の水平面２３ｄと直交する方向の厚さがハウジング２の他の部分における同方向の厚さに比べて薄く形成されている。各導入壁２３ｂには、電線Ｃ１，Ｃ２を挿入するための３個の電線挿入口２４が開口する。ここで、各電源端子台部３，４には、傾斜壁２３ａから導入壁２３ｂに亘って解除用レバー部２５をカバー２０に対して可動自在とするための長孔４１が貫設されている。そして、解除用レバー部２５が、当該長孔４１それぞれに解除用レバー部２５の長手方向の一端部と導入壁２３ｂとが長孔４１において負荷端子台部５側と反対側の一端部で連続する形で形成されている。ここで、端子台１は、図７に示すような傾斜天井に取り付けられた照明器具の器具本体Ｅやプリント基板（図示せず）等の端子台取付部材にボディ１０の底面が当接する形で取り付けられる。つまり、ボディ１０の底面が端子台取付部材への取付面Ｅ１となる。
【００２３】
ここで、２つの電源端子台部３，４に設けられた電線挿入口２４，２４には、図２に示すように、上述の電源に接続される電線Ｃ１或いは送り配線用の電線Ｃ２が接続される。
【００２４】
また、図６に示すように、負荷端子台部５の先端面には２個の電線挿入口１５，１５がハウジング２の短手方向に並設されている。また、負荷端子台部５の先端面には突台部２９が突設されており、突台部２９には、電線挿入口１５，１５の並設方向に解除孔２９ａ，２９ａが穿設されている。解除孔２９ａの機能については後述する。なお、電線挿入口１５には電線Ｃ３（図３参照）が接続される。
【００２５】
更に、図３乃至図６に示すように、カバー２０の長手方向の両側の外側面には、ボディ１０との結合時にボディ１０の底面よりも突出する取付脚２６，２６が設けられている。ここで、一方の取付脚２６はカバー２０の負荷端子台部５に対応する部分の外側面に設けられ、他方の取付脚２６はカバー２０の他の外側面の略中央部に設けられている。取付脚２６はそれぞれ先端ほど互いの距離を小さくするように形成された一対の脚片２７，２７を備え、各脚片２７，２７の先端部には互いの距離を大きくする向き及びカバー２０から離れる向きに突出するフック２７ａが形成されている。各一対の脚片２７，２７に設けた両フック２７ａ，２７ａの外側面は先端側ほど互いの距離を小さくするようにボディ１０の底面に対して傾斜している。
【００２６】
なお、ハウジング２は、図７に示すように、照明器具の器具本体Ｅに貫設した取付孔（図示せず）にフック２７ａを挿入することによって、器具本体Ｅにハウジング２の取付面Ｅ１を当接させた形で器具本体Ｅに取り付けることができる。
【００２７】
接地用の導電金具３１は、電線挿入口２４を通してハウジング２に導入された電線Ｃ１，Ｃ２に弾接して鎖錠する鎖錠片３５ｄを有する２個の端子部３４，３４が連結片３１ａにより連結され２個の端子部３４，３４が一直線上に配置された形状を有している。また、端子部３４，３４の間の連結片３１ａには接地片３６が設けられており、接地片３６はボディ１０とカバー２０とが結合したときにボディ１０の周壁に設けた切欠溝１０ｂを通してボディ１０の裏面側に突出する。なお、２個の端子部３４，３４に鎖錠された電線Ｃ１，Ｃ２は、端子台１の電源端子台部３，４が配列された一面側からドライバ等の解除用具Ｄを解除操作部２５ｂに押し当てて、解除操作部２５ｂを傾斜壁２３ａと直交する方向で変位させることにより電線Ｃ１，Ｃ２の鎖錠状態が解除される。
【００２８】
一方、電圧用の導電金具３２は、２個の端子部３４，３４と電線挿入口１５を通してハウジング２に導入される電線Ｃ３に弾接して鎖錠する鎖錠片３３ｄを有する端子部（以下、負荷接続端子部という）３３とが連結片３２ａにより連結されて一直線上に配置された形状を有する。つまり、電圧用の導電金具３１の長手方向の端部に負荷接続端子部３３が位置することになる。また、各収納室１３ｂ，１３ｃに配置される電圧用の導電金具３２，３２は、仕切壁１２ｂを対称面としたときにボディ１０の短手方向で略対称となるように形成されている。ここで、電線挿入口１５を通してハウジング２内に導入される電線Ｃ３の挿入方向は電圧用の導電金具３２の長手方向と略一致する。
【００２９】
ここで、負荷接続端子部３３は、ボディ１０の底面に沿って配置され一端部が連結片３２ａと連続して形成された主片３３ａの他端部を折曲してなる立上片３３ｂと、立上片３３ｂに穿設された矩形状の導入孔３３ｃと、導入孔３３ｃの主片３３ａから離れた一辺に基端部３３ｅが連続して設けられた鎖錠片３３ｄとから構成される。ここで、鎖錠片３３ｄは、主片３３ａに近づくほど立上片３３ｂから離れるように傾斜した形で設けられている。電線Ｃ３が導入孔３３ｃに対して電圧用の導電金具３２の長手方向から挿入され、当該電線Ｃ３に鎖錠片３３ｄの先端部３３ｆが弾接することによって電線Ｃ３が負荷接続端子部３３に鎖錠される。なお、電線Ｃ３の鎖錠状態を解除するには上述の解除孔２９ａに適当な解除用治具を挿入すればよい。
【００３０】
ところで、図１に示すように、ボディ１０に設けた収納室１３ａには接地用の導電金具３１が収納され、収納室１３ｂ，１３ｃにはそれぞれ電圧用の導電金具３２，３２が収納される。そして、ボディ１０の開口側からボディ１０の周壁外周を囲む形にカバー２０が覆着される。このとき、電源端子台部３，４が導電金具３２の端子部３４，３４を覆い、負荷端子台部５が導電金具３２の負荷接続端子部３３を覆うことになる。そして、連結部４３ｃ，４３ｄそれぞれが導電金具３２の連結片３２ａ，３２ａを覆うことになる。
【００３１】
上述の負荷端子台部５は、第２の水平面２３ｄから電源端子台部３，４の傾斜壁２３ａ及び導入壁２３ｂの突出方向と同じ方向へ突出した側に、第２の水平面２３ｄと平行な段部３０ｃ，３０ｄを有している。そして、段部３０ｃ及び段部３０ｄは、電源端子台部３，４側から順に配列している。ここで、段部３０ｃと第２の水平面２３ｄとの間には、２箇所に負荷端子台部５の突出方向に突出量が多くなる形で傾斜壁３０ａ，３０ａが形成され、段部３０ｃと段部３０ｄとの間に傾斜壁３０ｂが形成されている。つまり、負荷端子台部５の第２の水平面２３ｄ側に傾斜壁３０ａ，３０ｂが２段に形成されている。ここで、傾斜壁３０ａ，３０ａには矩形状の水抜き孔３７，３７が穿設されている。しかして、端子台１が図７に示すように、器具本体Ｅに対して傾斜した形で取り付けられたときに、ハウジング２内に電線Ｃ３を伝って浸入する水等が水抜き孔３７，３７を通して排出されるので、端子台１がトラッキングを起こし絶縁破壊することを防止することができる。
【００３２】
また、本実施形態の端子台１では、負荷端子台部５に穿設された水抜き孔３７は矩形状であり、当該水抜き孔３７は段部３０ｃと第２の水平面２３ｄとの間に負荷端子台部５の突出方向に突出量が多くなる形で傾斜した傾斜壁３０ａに穿設されている。従って、例えば第２の水平面２３ｄと段部３０ｄとの間をボディ１０の底面に対して直交する面で形成し、当該垂直な面内に円弧形状の水抜き孔を穿設する場合に比べて樹脂製のハウジング２用の成形金型の構造を簡易にすることができ、当該成形金型を壊れにくいものとすることができる。更に、樹脂製のハウジング２に使用する樹脂の量を少なくすることができる。
【００３３】
また、負荷端子台部５の傾斜壁３０ａ，３０ａに穿設された水抜き孔３７，３７は導電金具３２，３２の投影領域に位置している。しかして、電線挿入口１５，１５に挿入された電線Ｃ３，Ｃ３（図３参照）の負荷接続端子部３３における鎖錠状態を水抜き孔３７，３７から目視で確認することができる。
【００３４】
また、本実施形態の端子台１では、電線Ｃ３の鎖錠状態を解除するときには鎖錠片３３ｄの先端部３３ｆが基端部３３ｅを支軸として負荷端子台部５の傾斜壁３０ｂに近づく方向に変位させる。ここで、傾斜壁３０ｂは、鎖錠片３５ｄの先端部３３ｆを変位させていくと鎖錠片３５ｄの一部に当接することで、先端部３３ｆの変位するのを阻止する過可動防止部を兼ねている。しかして、電線挿入口１５に挿入された電線Ｃ３（図３参照）の鎖錠状態を解除するときに鎖錠片３３ｄの先端部３３ｆが過大に変位することにより負荷接続端子部３３が破壊されるのを防止することができる。
【００３５】
また、負荷端子台部５の形状は、負荷接続端子部３３の鎖錠片３３ｄの先端部３３ｆを負荷接続端子部３３が破壊しない最大可動範囲まで変位させたときに鎖錠片３５ｄの一部が傾斜壁３０ｂに当接するように形成されているので、負荷端子台部５の電線挿入口１５に挿入することができる電線Ｃ３（図３参照）の最大外周径を前記最大可動範囲に対応した大きさ以下のものに制限することができる。
【図面の簡単な説明】
【００３６】
【図１】本実施形態の端子台を示す分解斜視図である。
【図２】同上を示す平面図である。
【図３】同上を示す正面図である。
【図４】同上を示す下面図である。
【図５】同上を示す左側面図である。
【図６】同上を示す右側面図である。
【図７】同上の使用状態を示す図である。
【図８】従来例を示す斜視図である。
【図９】同上の使用状態を示す図である。
【符号の説明】
【００３７】
１  端子台
２  ハウジング
３，４  電源端子台部（第２の端子台部）
５  負荷端子台部（第１の端子台部）
１２ａ，１２ｂ  仕切壁
１３ａ，１３ｂ，１３ｃ  収納室
２４  電線導入口
３０ａ，３０ｂ  傾斜壁
３０ｃ，３０ｄ  段部
３１  接地用の導電金具
３２  電圧用の導電金具
３１ａ，３２ａ  連結片
３３  端子部（負荷接続端子部）
３３ａ  主片
３３ｂ  立上片
３３ｃ  導入孔
３３ｄ  鎖錠片
３３ｅ  基端部
３３ｆ  先端部
３４  端子部
３７  水抜き孔
４３ｃ，４３ｄ  連結部 
【図１】
0004971945.tif 000002
【図２】
0004971945.tif 000003
【図３】
0004971945.tif 000004
【図４】
0004971945.tif 000005
【図５】
0004971945.tif 000006
【図６】
0004971945.tif 000007
【図７】
0004971945.tif 000008
【図８】
0004971945.tif 000009
【図９】
0004971945.tif 000010